(57)【要約】      （修正有）【課題】狭い通路であっても搬入が可能であり、従来は浄化槽の布設が困難であった家屋等にでも布設可能な浄化槽を提供すること。【解決手段】浄化槽は、三個の構成部材１１、１２、１３に分解可能である。上部駆体となる構成部材１１には下端外周にフランジ１１ａが設けてあるとともに、フランジ１１ａにはボルトを差し込む孔部２１が設けてある。下部駆体となる構成部材１２，１３には、それぞれ上端外周及び縦方向の接合面にフランジ１２ａ，１３ａが設けてある。このフランジ１２ａ，１３ａには、それぞれボルトを差し込む孔部２２，２３が設けてある。各フランジ１１ａ，１２ａ，１３ａを接合したうえ、緊締金具で固定することで組み立て可能にしてある。【選択図】図１
0003203458.tif 000002
【実用新案登録請求の範囲】
【請求項１】
駆体が複数個の構成部材に分解可能であると共に、構成部材同士がフランジを緊締金具で締結することで組み立て可能な浄化槽。
【請求項２】
構成部材が３個以上存する請求項１記載の浄化槽。
【請求項３】
フランジの合わせ面を接着剤でシールした請求項１又は請求項２に記載の浄化槽。
【考案の詳細な説明】
【技術分野】
【０００１】
本考案は浄化槽に関し、より詳しくは搬入困難な場所でも布設施工が可能な浄化槽に関する。 
【背景技術】
【０００２】
浄化槽とは屎尿と併せて雑排水（生活系の汚水）を処理するもので、現行の法律で浄化槽と定められているものをいう。浄化槽の駆体内には前処理装置として嫌気ろ床槽あるいは沈澱分離槽を備え、また水処理装置として接触ばっ気槽及び沈澱槽を備える。
【０００３】
かかる浄化槽の標準的な施工は埋設設置が行われている。家庭用の場合、乗用車一台程度の面積を要するため、近年の施工場所は家庭の表側（庭、駐車場など）に油圧ショベル等の重機を用いて施工される例が多い。
【０００４】
特許文献１には上部駆体と下部駆体の接合フランジを基端部から先端部に向けて漸次厚くなるよう形成することで水漏れを防止する家庭用浄化槽が開示されている。
【先行技術文献】
【特許文献】
【０００５】
【特許文献１】特開２００１−３４０８８２号公報
【考案の概要】
【考案が解決しようとする課題】
【０００６】
一般的な浄化槽は、例えば処理対象人員５〜１０人の家庭用の小規模浄化槽でも縦長１５００ｍｍ、横長１０００ｍｍ、高さ１５００ｍｍ程度を有し、また重量も約１７０Ｋｇ〜３００Ｋｇに及ぶ。しかも布設には上記の通り重機を必要とする。かかる事情から道路境界の極近くまで家屋が建設されているような場合、具体的には町屋や長屋、城下町の古民家などでは布設が困難なことが多い。かかる事情を有する家屋の場合、布設場所は中庭などになるが、通路が狭いため搬入が困難である。
【０００７】
そこで本考案は、狭い通路であっても搬入が可能であり、従来は浄化槽の布設が困難であった家屋等にでも布設可能な浄化槽を提供することを目的とする。
【課題を解決するための手段】
【０００８】
上記の目的を達成する本考案の構成は次の通りである。
【０００９】
（１）  請求項１に記載の浄化槽は、駆体が複数個の構成部材に分解可能であると共に、構成部材同士が接合フランジを緊締金具で締結することで組み立て可能に構成した。
【００１０】
（２）  請求項２に記載の考案は、請求項１記載の浄化槽において駆体を構成部材３個以上で構成した。
【００１１】
（３）  請求項３に記載の考案は、請求項１又は請求項２に記載の浄化槽において、接合フランジの合わせ面を接着剤でシールして構成した。
【考案の効果】
【００１２】
上記のように構成される本考案が、如何に作用して課題を解決するかを図面を参照しながら概説する。
【００１３】
本考案にかかる浄化槽１０は図１に示すように駆体が複数個の構成部材１１・・に分解可能に設けてある。したがって、各構成部材１１・・を個別に浄化槽の布設場所まで搬入し、布設場所で接合フランジを緊締金具で締結することで組み立てるという施工方法が可能となる。これにより狭い通路であっても搬入可能となり、従来は浄化槽の布設が困難であった家屋等にでも布設可能な浄化槽を提供することが可能となるのである。
【００１４】
請求項３に記載の浄化槽では、接合フランジの合わせ面を接着剤でシールしてある。かかる構造とすることで、水漏れを可及的に抑制可能となるのである。
【図面の簡単な説明】
【００１５】
【図１】各構成部材を示す説明図
【図２】組み立てた状態の斜視図
【図３】本考案にかかる浄化槽の正面図
【図４】同、平面図
【図５】同、底面図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
本考案に係る浄化槽１０は、たとえば水洗トイレの洗浄水、台所からの廃水、風呂水など一般家庭から排出される生活排水を浄化処理するための小型合併処理浄化槽である。
【００１８】
本考案の特徴は浄化槽１０の駆体が複数個の構成部材に分解可能であることである。具体的には図１に示すように三個の構成部材１１，１２，１３に分解可能である。むろんこれは一例であり４個以上に分解可能に設けても構わない。
【００１９】
各構成部材の接合面にはフランジが設けてあり、フランジ同士を接合し、ボルト・ナット等の緊締金具２０で締結することで組み立て可能にしてある。
【００２０】
具体的には図１や図４に示すように、上部駆体となる構成部材１１には下端外周にフランジ１１ａが設けてあるとともに、フランジ１１ａにはボルト２０を差し込む孔部２１が設けてある。下部駆体となる構成部材１２，１３には図１や図３、図５に示すように、それぞれ上端外周及び縦方向の接合面にフランジ１２ａ，１３ａが設けてある。このフランジ１２ａ，１３ａには、それぞれボルト２０を差し込む孔部２２，２３が設けてある。各フランジ１１ａ，１２ａ，１３ａを接合したうえ、緊締金具２０で固定した状態を示すのが図２乃至図５である。
【００２１】
尚、図示していないが上記のように構成される駆体内には、嫌気ろ床槽あるいは沈澱分離槽、接触ばっ気槽や沈澱槽を構成するための隔壁、ろ材、配管などの構成部品が装備されるものである。
【００２２】
上部駆体となる構成部材１１には、浄化槽のメンテナンスなどのために必要となるマンホール蓋取付部３０が駆体の長手方向に沿って３つ形成してある。各マンホール蓋取付部３０には、マンホール蓋３１がそれぞれ取り付けられる。
【００２３】
駆体たる構成部材１１，１２，１３はＦＲＰやジシクロペンタジエン等の樹脂を用いてで一体形成される。成形方法は、スプレーアップ式やプレス式が採用可能である。
【００２４】
請求項３に記載の浄化槽においては、フランジ部の合わせ面にシール材を兼ねるウレタン系等の接着剤を塗布してある。
【符号の説明】
【００２５】
１０・・浄化槽
１１，１２，１３・・構成部材
１１ａ，１２ａ，１３ａ・・フランジ
２０・・緊締金具
【図１】
0003203458.tif 000003
【図２】
0003203458.tif 000004
【図３】
0003203458.tif 000005
【図４】
0003203458.tif 000006
【図５】
0003203458.tif 000007
【手続補正書】
【提出日】平成28年1月27日(2016.1.27)
【手続補正２】
【補正対象書類名】明細書
【補正対象項目名】０００７
【補正方法】変更
【補正の内容】
【０００７】
そこで本考案は、狭い通路であっても搬入が可能であり、従来は浄化槽の布設が困難であった家屋等にでも布設可能な組立型浄化槽を提供することを目的とする。
【手続補正３】
【補正対象書類名】明細書
【補正対象項目名】０００９
【補正方法】変更
【補正の内容】
【０００９】
（１）  請求項１に記載の組立型浄化槽は、駆体が複数個の構成部材に分解可能であると共に、構成部材同士が接合フランジを緊締金具で締結することで組み立て可能に構成した。
【手続補正４】
【補正対象書類名】明細書
【補正対象項目名】００１０
【補正方法】変更
【補正の内容】
【００１０】
（２）  請求項２に記載の考案は、請求項１記載の組立型浄化槽において駆体を構成部材３個以上で構成した。
【手続補正５】
【補正対象書類名】明細書
【補正対象項目名】００１１
【補正方法】変更
【補正の内容】
【００１１】
（３）  請求項３に記載の考案は、請求項１又は請求項２に記載の組立型浄化槽において、接合フランジの合わせ面を接着剤でシールして構成した。
【手続補正６】
【補正対象書類名】明細書
【補正対象項目名】００１３
【補正方法】変更
【補正の内容】
【００１３】
本考案にかかる組立型浄化槽１０は図１に示すように駆体が複数個の構成部材１１・・に分解可能に設けてある。したがって、各構成部材１１・・を個別に浄化槽の布設場所まで搬入し、布設場所で接合フランジを緊締金具で締結することで組み立てるという施工方法が可能となる。これにより狭い通路であっても搬入可能となり、従来は浄化槽の布設が困難であった家屋等にでも布設可能な組立型浄化槽を提供することが可能となるのである。
【手続補正７】
【補正対象書類名】明細書
【補正対象項目名】００１７
【補正方法】変更
【補正の内容】
【００１７】
本考案に係る組立型浄化槽１０は、たとえば水洗トイレの洗浄水、台所からの廃水、風呂水など一般家庭から排出される生活排水を浄化処理するための小型合併処理浄化槽である。
【手続補正８】
【補正対象書類名】明細書
【補正対象項目名】００１８
【補正方法】変更
【補正の内容】
【００１８】
本考案の特徴は組立型浄化槽１０の駆体が複数個の構成部材に分解可能であることである。具体的には図１に示すように三個の構成部材１１，１２，１３に分解可能である。むろんこれは一例であり４個以上に分解可能に設けても構わない。
【手続補正９】
【補正対象書類名】明細書
【補正対象項目名】００２５
【補正方法】変更
【補正の内容】
【００２５】
１０・・組立型浄化槽
１１，１２，１３・・構成部材
１１ａ，１２ａ，１３ａ・・フランジ
２０・・緊締金具
【手続補正書】
【提出日】平成28年1月27日(2016.1.27)
【手続補正１】
【補正対象書類名】実用新案登録請求の範囲
【補正対象項目名】全文
【補正方法】変更
【補正の内容】
【実用新案登録請求の範囲】
【請求項１】
駆体が複数個の構成部材に分解可能であると共に、構成部材同士がフランジを緊締金具で締結することで組み立て可能な組立型浄化槽。
【請求項２】
構成部材が３個以上存する請求項１記載の組立型浄化槽。
【請求項３】
フランジの合わせ面を接着剤でシールした請求項１又は請求項２に記載の組立型浄化槽。